(57)【要約】  液晶パネルの狭額縁化を可能とし、ソースラインの断線による表示不良を容易に防止し、歩留まりを向上させることができる液晶表示装置を提供する。液晶表示装置は、複数のＴＦＴと、行方向に並設された第１ソースラインＳＬ１ａ及びＳＬ１ｂと、列方向の一端部において、列方向に並設され、第１ソースラインＳＬ１ａ及びＳＬ１ｂに重なっている第２ソースラインＳＬ２ｘ及びＳＬ２ｙと、第２ソースラインＳＬ２ｘに設けられた凸部３０ａと、第２ソースラインＳＬ２ｙに設けられた凸部３１ａとを備える。
2017126115.tif 000002
【特許請求の範囲】
【請求項１】
マトリクス状に配列された画素に含まれるスイッチング素子と、
行方向に並設され、各列の前記スイッチング素子夫々にデータ信号を印加するための複数の第１データ信号線と、
列方向の一端部において、列方向に並設され、複数の前記第１データ信号線に重なっている二本の第２データ信号線と、
列方向の他端部において、列方向に並設され、複数の前記第１データ信号線に重なっており、前記第２データ信号線に接続された第３データ信号線と、
一方の前記第２データ信号線における一の前記第１データ信号線に重なる部分に設けられ、他方の前記第２データ信号線に向けて突出する第１凸部と、
他方の前記第２データ信号線における他の前記第１データ信号線に重なる部分に設けられ、前記一方の第２データ信号線に向けて突出する第２凸部とを備える
ことを特徴とする液晶表示装置。
【請求項２】
前記第１凸部及び第２凸部は複数あり、
前記一の第１データ信号線及び他の第１データ信号線は隣り合っている
ことを特徴とする請求項１に記載の液晶表示装置。
【請求項３】
隣り合う前記第１凸部間には、前記第２凸部が挿入される第１凹部が形成され、
隣り合う前記第２凸部間には、前記第１凸部が挿入される第２凹部が形成されている
ことを特徴とする請求項２に記載の液晶表示装置。
【請求項４】
前記一方の第２データ信号線の線幅は、前記第１凹部において前記第１凸部よりも細く、
前記他方の第２データ信号線の線幅は、前記第２凹部において前記第２凸部よりも細い
ことを特徴とする請求項３に記載の液晶表示装置。
【請求項５】
前記一端部において、前記二本の第２データ信号線に対して列方向に並設され、複数の前記第１データ信号線に重なっている第４データ信号線を備えることを特徴とする請求項１から請求項４までのいずれか一つに記載の液晶表示装置。
【発明の詳細な説明】
【技術分野】
【０００１】
本技術は、マトリクス状に配列された画素に含まれるスイッチング素子と、該スイッチング素子にデータ信号を印加するためのデータ信号線とを備える液晶表示装置に関する。
【背景技術】
【０００２】
液晶表示装置は、高精細、薄型、軽量、及び低消費電力等の優れた特長を有する平面表示装置であり、薄型テレビ、パソコンモニタ、デジタルサイネージ等に幅広く利用される。液晶表示装置の表示部には、ＴＦＴ（薄膜トランジスタ）等のスイッチング素子を用いた液晶表示パネルが広く使用されている。【０００３】
液晶表示パネルはマトリクス状に配列された画素を備え、該画素は画素電極を有している。スイッチング素子は、画素電極に接続されている。また、液晶表示パネルは、行方向に並設され、各列のスイッチング素子夫々にデータ信号を印加するための複数の第１データ信号線と、列方向の一端部側に配され、該複数の第１データ信号線夫々の一端が接続されたソースドライバとを備える。ここで、第１データ信号線が断線した場合には、断線した部分から列方向の他端部側のスイッチング素子にデータ信号を印加できないこととなる。【０００４】
したがって、特許文献１に記載の液晶表示パネルは、更に、列方向の一端部において、複数の前記第１データ信号線に重なっている第２データ信号線を備える。第２データ信号線は、一つのソースドライバにつき一本設けられている。また、列方向の他端部において、複数の前記第１データ信号線に重なっている第３データ信号線を備える。第２データ信号線及び第３データ信号線は、互いに接続されている。第１データ信号線が断線した場合、第２データ信号線が、断線した第１データ信号線に重なる部分において、該第１データ信号線にメルト接続される。また、第３データ信号線が、断線した第１データ信号線に重なる部分において、該第１データ信号線にメルト接続される。これにより、ソースドライバから出力されたデータ信号は、第２データ信号線及び第３データ信号線を介して、断線部分から列方向の他端部側のスイッチング素子に印加される。【０００５】
特許文献２に記載の液晶表示装置は、複数の第３データ信号線（補償用ライン）と、ソースドライバに設けられ、第３データ信号線にデータ信号を供給する補償出力部とを備える。また、該液晶表示装置は、アドレス設定に基づいて、断線した第１データ信号線に対応するデータを供給するようにソースドライバを制御する制御手段を備える。これにより、第２データ信号線を設けず、第１データ信号線の複数の断線に対応している。
【先行技術文献】
【特許文献】
【０００６】
【特許文献１】特開平８−１７１０８１号公報
【特許文献２】特開２００３−２０２８４６号公報
【発明の概要】
【発明が解決しようとする課題】
【０００７】
しかしながら、特許文献１に記載の液晶表示装置のように、一のソースドライバに接続された第２データ信号線が一本である場合、該一のソースドライバに接続された第１データ信号線が二本以上断線した場合に全ての断線には対応できない。また、第２データ信号線を二本以上配した場合、配置のためのスペースが大きくなり、液晶表示装置の狭額縁化の妨げとなる。
また、特許文献２に記載の液晶表示装置においては、対応するデータ信号が出力されるように制御する制御手段及びアドレス設定が必要であるので、構造が複雑となり、また、断線の対応に手間がかかるという問題がある。【０００８】
本開示の実施形態は、斯かる事情に鑑みてなされたものであり、その目的とするところは、液晶パネルの狭額縁化を可能とし、データ信号線の断線を容易に補修し、歩留まりを向上できる液晶表示装置を提供することにある。
【課題を解決するための手段】
【０００９】
本開示の一実施形態に係る液晶表示装置は、マトリクス状に配列された画素に含まれるスイッチング素子と、行方向に並設され、各列の前記スイッチング素子夫々にデータ信号を印加するための複数の第１データ信号線と、列方向の一端部において、列方向に並設され、複数の前記第１データ信号線に重なっている二本の第２データ信号線と、列方向の他端部において、列方向に並設され、複数の前記第１データ信号線に重なっており、前記第２データ信号線に接続された第３データ信号線と、一方の前記第２データ信号線における一の前記第１データ信号線に重なる部分に設けられ、他方の前記第２データ信号線に向けて突出する第１凸部と、他方の前記第２データ信号線における他の前記第１データ信号線に重なる部分に設けられ、前記一方の第２データ信号線に向けて突出する第２凸部とを備えることを特徴とする。
【発明の効果】
【００１０】
本開示の実施形態によれば、液晶パネルの狭額縁化を可能とし、データ信号線の断線を容易に補修し、歩留まりを向上できる液晶表示装置を提供することにある。
【図面の簡単な説明】
【００１１】
【図１】実施の形態１に係る液晶表示装置の構成を示すブロック図である。
【図２】二本の第２ソースラインを示す模式図である。
【図３】第２ソースラインを使用した補修手順の説明図である。
【図４】二本の第２ソースライン及び第４ソースラインを示す模式図である。
【図５】第２ソースライン及び第４ソースラインを使用した補修手順の説明図である。
【発明を実施するための形態】
【００１２】
以下、本開示の実施形態についてその実施形態を示す図面に基づいて詳述する。
（実施形態１）
図１は、実施の形態１に係る液晶表示装置の構成を示すブロック図である。図１に示す液晶表示装置は、一面に画素Ｐ（図において破線で囲って示す）が、列方向（図１の上下方向）及び行方向（図１の左右方向）にマトリクス状に配列された液晶パネル１００を備える。なお、図１においては、画素Ｐの一部を示している。
【００１３】
画素Ｐは、画素電極１０と、該画素電極１０に液晶層（不図示）を介して対向する対向電極（不図示）とを有する。画素電極１０には、ＴＦＴ（Thin Film Transistor）１１のドレイン電極が接続されている。画素電極１０及び対向電極により、液晶容量が形成される。
【００１４】
画素Ｐの各列において、画素Ｐの行方向における一の側方には、第１ソースラインＳＬ１ａが配され、他の側方には第１ソースラインＳＬ１ｂが配されている。即ち、液晶パネル１００においては、複数の第１ソースラインＳＬ１ａ，ＳＬ１ａ，・・・及び第１ソースラインＳＬ１ｂ，ＳＬ１ｂ，・・・が行方向に交互に並設されている。各列において、列方向一つおきの画素Ｐに係るＴＦＴ１１のソース電極は、前記一の側方に位置する第１ソースラインＳＬ１ａに接続されている。また、各列の残りの画素Ｐに係るＴＦＴ１１のソース電極は、前記他の側方に位置する第１ソースラインＳＬ１ｂに接続されている。即ち、液晶パネル１００は、いわゆるダブルソースパネルである。なお、図１においては、ソースラインの一部のみを示している。
【００１５】
液晶パネル１００には、走査信号を印加するための複数のゲートラインＧＬ，ＧＬ，・・・が行方向に並設されている。ＴＦＴ１１のゲート電極は、ゲートラインＧＬに接続されており、行方向に並ぶ画素Ｐに係るＴＦＴ１１のゲート電極は、同一のゲートラインＧＬに接続されている。なお、図１においては、一部のゲート線のみを示している。
【００１６】
ソースラインＳＬ１ａ及びＳＬ１ｂは、行方向に三つのグループに分かれており、各グループごとにソースドライバＳＤが設けられている。ソースドライバＳＤは、列方向の一端側において液晶パネル１００の外側に配され、行方向に並設されている。各ソースドライバＳＤには、対応する各ソースラインＳＬ１ａ及びＳＬ１ｂの一端が接続されている。各ソースドライバＳＤは、接続された第１ソースラインＳＬ１ａ及びＳＬ１ｂにデータ信号を印加する。
【００１７】
液晶表示装置は、行方向の一端側において液晶パネル１００の外側において配され、各ゲートラインＧＬの一端が接続されたゲートドライバＧＤを備える。ゲートドライバＧＤは、走査信号を各ゲートラインＧＬに印加する。
【００１８】
更に、液晶パネル１００には、列方向の一端側において、三つのソースドライバＳＤ夫々に対応して、二本の第２ソースラインＳＬ２ｘ及びＳＬ２ｙが配されている。二本の第２ソースラインＳＬ２ｘ及びＳＬ２ｙの一端は、対応するソースドライバＳＤに接続配線２０を介して接続されている。第２ソースラインＳＬ２ｘ及びＳＬ２ｙは夫々、絶縁膜（不図示）を介して、対応するソースドライバＳＤに接続された第１ソースラインＳＬ１ａ及びＳＬ１ｂのすべてに重なっている。なお、第２ソースラインＳＬ２ｘ及びＳＬ２ｙは夫々、接続配線２０と一体形成されていてもよい。
【００１９】
また、液晶パネル１００には、列方向の他端側において、六本の第３ソースラインＳＬ３が並設されている。第３ソースラインＳＬ３は、全ての第１ソースラインＳＬ１ａ及びＳＬ１ｂに絶縁膜（不図示）を介して重なっている。また、各ソースドライバＳＤは、二本の第３ソースラインＳＬ３夫々に接続配線２１を介して接続されている。また、各接続配線２０及び各接続配線２１は、例えばソースドライバＳＤ内に設けられたバッファ（不図示）を介して接続されており、データ信号の伝達が可能となっている。なお、第３ソースライン及び接続配線２１は一体形成されていてもよい。
【００２０】
図２は、二本の第２ソースラインＳＬ２ｘ及びＳＬ２ｙを示す模式図である。図２においては、画素Ｐ及びゲートラインＧＬの図示を省略している。第２ソースラインＳＬ２ｘは、第２ソースラインＳＬ２ｙ側に突出し、行方向に並設された複数の凸部３０ａ，３０ａ，・・・を有する。各凸部３０ａは、第１ソースラインＳＬ１ａに重なっている。また、凸部３０ａ間には、隣り合う凸部３０ａにより凹部３０ｂが形成されている。即ち、第２ソースラインＳＬ２ｘの線幅は、凹部３０ｂにおいて凸部３０ａよりも細く設計されている。
【００２１】
第２ソースラインＳＬ２ｙは、凹部３０ｂに対向する部分に設けられ、凹部３０ｂに挿入される凸部３１ａを有する。該凸部３１ａ間には、隣り合う凸部３１ａにより凹部３１ｂが形成されている。即ち、第２ソースラインＳＬ２ｙの線幅は、凹部３１ｂにおいて凸部３１ａよりも細く設計されている。各凸部３１ａは、第１ソースラインＳＬ１ａに隣り合う第１ソースラインＳＬ１ｂに重なっている。
【００２２】
第２ソースラインＳＬ２ｘの凸部３０ａは、第２ソースラインＳＬ２ｙの凹部３１ｂに挿入され、第２ソースラインＳＬ２ｙの凸部３１ａは、ＳＬ２ｘの凹部３０ｂに挿入されている。凸部３０ａ及び３１ａは、第１凸部及び第２凸部をなし、凹部３０ｂ及び３１ｂは、第１凹部及び第２凹部をなす。
【００２３】
図１に示すように、液晶表示装置は、ゲートドライバＧＤ及びソースドライバＳＤを用いて液晶パネル１００による表示を制御する表示制御回路４を備える。表示制御回路４は、画像を表す画像データを含む画像信号を受け付ける画像信号入力回路４０と、画像信号入力回路４０によって分離されたクロック信号及び同期信号に基づいてゲートドライバＧＤ及びソースドライバＳＤ夫々を制御するゲートドライバ制御回路４１及びソースドライバ制御回路４２とを有する。
【００２４】
ゲートドライバ制御回路４１及びソースドライバ制御回路４２夫々は、ゲートドライバＧＤ及びソースドライバＳＤの周期的な動作に必要となるスタート信号、クロック信号、イネーブル信号等の制御信号を生成する。ソースドライバ制御回路４２は、また、画像信号入力回路４０によって分離されたデジタルの画像データをソースドライバＳＤへ出力する。
【００２５】
ゲートドライバＧＤは、画像データの１フレーム期間内に、各ゲートラインＧＬに所定の時間差で順次二本ずつ走査信号を印加する。ゲートラインＧＬに印加された走査信号は、行方向に配列された１ライン分の画素Ｐ，Ｐ，・・Ｐ夫々に含まれるＴＦＴ１１のゲート電極に印加される。
【００２６】
ソースドライバＳＤは、ソースドライバ制御回路４２から与えられたデジタルの画像データを１水平走査期間だけ蓄積して１ライン分の画像を表すデータ信号を生成する。生成されたデータ信号は、第１ソースラインＳＬ１ａ及びＳＬ１ｂ夫々に並列的に印加される。
【００２７】
第１ソースラインＳＬ１ａに印加されたデータ信号は、対応するゲートラインＧＬに走査信号が印加される１水平走査期間に、ＴＦＴ１１を介して画素電極１０に印加される。また、第１ソースラインＳＬ１ｂに印加されたデータ信号は、対応するゲートラインＧＬに走査信号が印加される１水平走査期間に、ＴＦＴ１１を介して画素電極１０に印加される。これにより、画素Ｐ夫々に形成された液晶容量にデータ信号が印加される。
【００２８】
ここで、液晶表示装置の製造過程において、第１ソースラインＳＬ１ａ及びＳＬ１ｂのいずれかが断線した場合、表示不良となる虞があるため補修が必要となる。この場合、以下の如く第２ソースラインＳＬ２ｘ及びＳＬ２ｙを用いることにより補修できる。
【００２９】
図３は、第２ソースラインＳＬ２ｘ及びＳＬ２ｙを使用した補修手順の説明図である。図３においては、一の第１ソースラインＳＬ１ａに断線部分Ａが生じ、隣り合う一の第１ソースラインＳＬ１ｂに断線部分Ｂが生じている。図３においては、画素Ｐ及びゲートラインＧＬの図示を省略している。
【００３０】
断線部分Ａが生じた一の第１ソースラインＳＬ１ａと、凸部３０ａにおいて該一の第１ソースラインＳＬ１ａと重なる第２ソースラインＳＬ２ｘとが、互いに重なる領域において、例えばレーザーメルトによりメルト接続（図の斜線領域）される。また、前記一の第１ソースラインＳＬ１ａと、第２ソースラインＳＬ２ｘに対応する第３ソースラインＳＬ３とが、互いに重なる部分においてメルト接続される。これにより、ソースドライバＳＤから前記一の第１ソースラインＳＬ１ａに印加されたデータ信号が、断線部分Ａから列方向の他端側の画素Ｐに係るＴＦＴ１１に、第２ソースラインＳＬ２ｘと、該第２ソースラインＳＬ２ｘに対応する接続配線２０，２１及び第３ソースラインＳＬ３とを介して印加される。
【００３１】
また、断線部分Ｂが生じた一の第１ソースラインＳＬ１ｂと、凸部３１ａにおいて該一の第１ソースラインＳＬ１ｂと重なる第２ソースラインＳＬ２ｙとが、互いに重なる領域においてメルト接続（図の斜線領域）される。前記一の第１ソースラインＳＬ１ｂと、第２ソースラインＳＬ２ｙに対応する第３ソースラインＳＬ３とが、互いに重なる部分においてメルト接続される。これにより、ソースドライバＳＤから第１ソースラインＳＬ１ｂに印加されたデータ信号が、断線部分Ｂから列方向の他端側の画素Ｐに係るＴＦＴ１１に、第２ソースラインＳＬ２ｙと、対応する接続配線２０，２１及び第３ソースラインＳＬ３とを介して印加される。
【００３２】
上記の構成によれば、二本の第２ソースラインＳＬ２ｘ及びＳＬ２ｙは、凸部３０ａ及び凸部３１ａを有し、該凸部３０ａ及び凸部３１ａは、対応する凹部３０ｂ又は３１ｂ内に配置される。また、第２ソースラインＳＬ２ｘ及びＳＬ２ｙは、凸部３０ａ及び３１ａにおいて第１ソースラインＳＬ１ａ及びＳＬ１ｂとメルト接続する領域を確保できる。したがって、第２ソースラインＳＬ２ｘ及びＳＬ２ｙは、凹部３０ｂ及び３１ｂにおいては、メルトで接続できる領域を確保する必要がなく、より細く設計できる。また、二本の第２ソースラインＳＬ２ｘ及びＳＬ２ｙを設けることにより、第１ソースラインＳＬ１ａ及びＳＬ１ｂの内、二本が断線した場合に対応できる。したがって、液晶パネル１００の狭額縁化を可能とし、容易に第１ソースラインＳＬ１ａ及びＳＬ１ｂの断線の補修をすることができ、液晶表示装置の歩留まりを向上することができる。
【００３３】
なお、断線部分は図５に示す断線部分Ａ、Ｂに限られず、第１ソースラインＳＬ１ａと第１ソースラインＳＬ１ｂとを一本ずつ含む任意の二本の第１ソースラインＳＬ１ａ及びＳＬ１ｂに断線が生じた場合であっても同様に対応可能である。また、第２ソースラインは、三本以上であってもよく、接続配線２０，２１及び第３ソースラインは図示の本数に限られず、第２ソースラインに対応する本数であればよい。
【００３４】
（実施形態２）
実施形態２においては、第２ソースラインに第４ソースラインが並設されている。実施の形態２に係る液晶表示装置の構成について、実施の形態１と同様な構成については、同一の符号を付してその詳細な説明を省略する。図４は、二本の第２ソースラインＳＬ２ｘ，ＳＬ２ｙ及び第４ソースラインを示す模式図である。図４においては、画素Ｐ及びゲートラインＧＬの図示を省略している。
【００３５】
実施形態２においては、実施の形態１と同様に第２ソースラインＳＬ２ｘ及びＳＬ２ｙが並設されており、更に第４ソースラインＳＬ４が、第２ソースラインＳＬ２ｘ及びＳＬ２ｙに列方向に並設されている。また、第４ソースラインＳＬ４は、並設される第２ソースラインＳＬ２ｘ及びＳＬ２ｙと重なっている第１ソースラインＳＬ１ａ及びＳＬ１ｂに重なっている。液晶パネル１００は、第２ソースラインＳＬ２ｘ及びＳＬ２ｙと同様に、第４ソースラインＳＬ４に対応する図示しない第３ソースラインを更に備える。該第３ソースライン及び第４ソースラインＳＬ４は、第２ソースラインＳＬ２ｘ及びＳＬ２ｙと同様に、図示しない配線及びソースドライバＳＤにおけるバッファにより接続されている。
【００３６】
図５は、第２ソースラインＳＬ２ｘ、ＳＬ２ｙ及び第４ソースラインＳＬ４を使用した補修手順の説明図である。図５においては、一の第１ソースラインＳＬ１ａに断線部分Ａが生じ、隣り合う一の第１ソースラインＳＬ１ｂに断線部分Ｂが生じている。更に、前記一の第１ソースラインＳＬ１ａと隣り合う他の第１ソースラインＳＬ１ｂに断線部分Ｃが生じている。
【００３７】
断線部分Ａ及び断線部分Ｂが生じた第１ソースラインＳＬ１ａ及びＳＬ１ｂ夫々においては、実施の形態１と同様に、第２ソースラインＳＬ２ｘ及びＳＬ２ｙとメルト接続（図の斜線領域）し、対応する第３ソースラインＳＬ３にメルト接続することにより断線を補修できる。断線部分Ｃが生じた第１ソースラインＳＬ１ｂにおいては、第４ソースラインＳＬ４において、該第１ソースラインＳＬ１ｂと重なる領域がメルト接続（図の斜線領域）され、対応する第３ソースラインが接続されることにより、断線を補修できる。このように、第４ソースラインＳＬ４は、第２ソースラインＳＬ２ｘ及びＳＬ２ｙと同様に、断線の補修に使用される。したがって、実施の形態２においては、第１ソースラインＳＬ１ａ及びＳＬ１ｂの内の三本に断線が生じた場合に対応することができる。
【００３８】
上記の構成によれば、実施の形態１と同様に、第２ソースラインＳＬ２ｘ及びＳＬ２ｙをより細く設計できるので、第４ソースラインＳＬ４を更に配した場合であっても、液晶表示装置の狭額縁化が可能である。また、二本の第２ソースラインＳＬ２ｘ、ＳＬ２ｙ及び第４ソースラインＳＬ４が並設されているので、第１ソースラインＳＬ１ａ及びＳＬ１ｂの内、三本が断線した場合に対応できる。
【００３９】
なお、断線部分は図５に示す断線部分Ａ、Ｂ、Ｃに限られず、第１ソースラインＳＬ１ａと第１ソースラインＳＬ１ｂとを少なくとも一本ずつ含む任意の三本の第１ソースラインＳＬ１ａ及びＳＬ１ｂに断線が生じた場合であっても同様に対応可能である。また、第４ソースラインは、二本以上であってもよく、上記配線及び第３ソースラインも第２ソースライン及び第４ソースラインの本数に対応した本数であればよい。
【００４０】
なお、上述の実施の形態１及び実施の形態２において、ソースドライバの個数は、３個に限られず、２個以下又は４個以上であってもよい。また、液晶パネル１００は、ダブルソースパネルに限られない。更に、凸部３０ａ及び３１ａは、一本の第１ソースラインＳＬ１ａ及びＳＬ１ｂでなく、複数本の第１ソースラインＳＬ１ａ及びＳＬ１ｂに跨って重なるように形成されていてもよい。この場合、凹部３０ｂ、３１ｂは、凸部３０ａ、３１ａに対応した大きさとなる。また、一の凸部３０ａが重なる第１ソースラインＳＬ１ａ，ＳＬ１ｂの数と、該一の凸部３０ａの隣に配置される凸部３１ａが重なる第１ソースラインＳＬ１ａ，ＳＬ１ｂの数とが異なっていてもよい。
【００４１】
今回開示された実施形態はすべての点で例示であって、制限的なものではないと考えられるべきである。本発明の範囲は、上記した意味ではなく、請求の範囲によって示され、請求の範囲と均等の意味及び範囲内でのすべての変更が含まれることが意図される。即ち、請求項に示した範囲で適宜変更した技術的手段を組み合わせて得られる実施形態も本発明の技術的範囲に含まれる。
【符号の説明】
【００４２】
１０  画素電極
１１  ＴＦＴ（スイッチング素子）
３０ａ、３１ａ  凸部
Ｐ  画素
ＳＬ１ａ，ＳＬ１ｂ  第１ソースライン（第１データ信号線）
ＳＬ２ｘ，ＳＬ２ｙ  第２ソースライン（第２データ信号線）
ＳＬ３  第３ソースライン（第３データ信号線）
ＳＬ４  第４ソースライン（第４データ信号線）
【図１】
2017126115.tif 000003
【図２】
2017126115.tif 000004
【図３】
2017126115.tif 000005
【図４】
2017126115.tif 000006
【図５】
2017126115.tif 000007
【国際調査報告】
2017126115.tif 000008
2017126115.tif 000009
2017126115.tif 000010